(57)【要約】【課題】無線アクセスネットワークシステム及び運用パラメータ設定方法に関し、無線基地局装置で運用パラメータのデータ破壊や変更が発生した場合でも、遠隔の保守・運用センタから運用パラメータの再設定を可能にする。【解決手段】無線基地局装置７−１は、自装置に割り当てられた基地局識別子と、ネットワーク７−２とのインタフェース部に予め割り当てられたＭＡＣアドレスとを対応付けて保守・運用を行うＯＭＣサーバ７−３へ通知する。ＯＭＣサーバ７−３は、無線基地局装置７−１から通知される基地局識別子とＭＡＣアドレスと該基地局識別子の無線基地局装置に対する運用パラメータファイル名とを、運用パラメータ管理テーブルの各フィールドに対応付けて登録する。ＭＡＣアドレスを元に運用パラメータ管理テーブルを検索し、該ＭＡＣアドレスに対応した運用パラメータを無線基地局装置７−１に転送する。【選択図】図７
2011199540.tif 000002
【特許請求の範囲】
【請求項１】
保守・運用を行うサーバとネットワークを介して接続される無線基地局装置を含む無線アクセスネットワークシステムにおいて、
前記無線基地局装置は、自装置に割り当てられた基地局識別子と、前記ネットワークとのインタフェース部に予め割り当てられたアドレスとを対応付けて前記サーバへ通知する通知手段を備え、
前記サーバは、前記通知手段から通知される基地局識別子とアドレスと該基地局識別子の無線基地局装置に対する運用パラメータとを、対応付けて格納する記憶手段と、
前記アドレスに基づいて前記記憶手段から取得した該基地局識別子及び運用パラメータを、前記無線基地局装置に転送する転送手段と、
を備えたことを特徴とする無線アクセスネットワークシステム。
【請求項２】
前記無線基地局装置は、前記基地局識別子を含む運用パラメータが失われたことを検出したとき、前記アドレスを前記サーバに通知し、該アドレスに対応した基地局識別子の通知を要求する手段を備え、
前記転送手段は、前記無線基地局装置から通知されたアドレスに基づいて前記記憶手段から取得した該基地局識別子及び運用パラメータを、前記無線基地局装置に転送することを特徴とする請求項１に記載の無線アクセスネットワークシステム。
【請求項３】
前記記憶手段は、移設後の無線基地局に与える第２の基地局識別子と共に該第２の基地局識別子の無線基地局装置に対する運用パラメータを格納し、
前記転送手段は、前記無線基地局装置から移設前の第１の基地局識別子及びアドレスが通知されたとき、該第１の基地局識別子又はアドレスに基づいて、前記第２の基地局識別子が格納されていたことを検出したとき、該第１の基地局識別子を該第２の基地局識別子により更新し、前記第２の基地局識別子、及び該第２の基地局識別子の無線基地局装置に対する運用パラメータを、前記無線基地局装置に転送することを特徴とする請求項１に記載の無線アクセスネットワークシステム。
【請求項４】
保守・運用を行うサーバとネットワークを介して接続される無線基地局装置の運用パラメータ設定方法において、
前記無線基地局装置は、自装置に割り当てられた基地局識別子と、前記ネットワークとのインタフェース部に予め割り当てられたアドレスとを対応付けて前記サーバへ通知するステップと、
前記サーバは、前記第１のステップで通知される基地局識別子とアドレスと該基地局識別子の無線基地局装置に対する運用パラメータとを対応付けて記憶部に格納するステップと、
前記アドレスに基づいて前記記憶部から取得した該基地局識別子及び運用パラメータを、前記無線基地局装置に転送するステップと、
を含むこと特徴とする運用パラメータ設定方法。
【請求項５】
前記無線基地局装置は、前記基地局識別子を含む運用パラメータが失われたことを検出したとき、前記アドレスを前記サーバに通知し、該アドレスに対応した基地局識別子の通知を要求するステップと、
前記サーバは、前記無線基地局装置から通知されたアドレスに基づいて前記記憶部から取得した該基地局識別子及び運用パラメータを、前記無線基地局装置に転送するステップと、
を含むことを特徴とする請求項４に記載の運用パラメータ設定方法。
【請求項６】
前記サーバは、移設後の無線基地局に与える第２の基地局識別子と共に該第２の基地局識別子の無線基地局装置に対する運用パラメータを前記記憶部に格納するステップと、
前記無線基地局装置から移設前の第１の基地局識別子及びアドレスが通知されたとき、該第１の基地局識別子又はアドレスに基づいて、前記第２の基地局識別子が前記記憶部に格納されていたことを検出したとき、該第１の基地局識別子を該第２の基地局識別子により更新し、前記第２の基地局識別子、及び該第２の基地局識別子の無線基地局装置に対する運用パラメータを、前記無線基地局装置に転送するステップと、
を含むことを特徴とする請求項４に記載の運用パラメータ設定方法。
【発明の詳細な説明】
【技術分野】
【０００１】
本発明は、無線アクセスネットワークシステム及び運用パラメータ設定方法に関する。本発明は、例えば、ＬＴＥ（Long-Term Evolution：３．９Ｇ）システムの無線アクセスネットワークを構成するｅＮＢ（evolved Node B）等の無線基地局装置の運用パラメータ設定に適用することができる。
【背景技術】
【０００２】
図７に無線アクセスネットワークシステムの接続構成例の概略を示す。無線アクセスネットワークシステムは、ＩＰネットワーク７−２を介して接続された無線基地局装置（ｅＮＢ）７−１と保守・運用を行うＯＭＣサーバ７−３と有する。無線基地局装置（ｅＮＢ）７−１は、ＤＮＳ（Domain Name System）サーバ７−４により、ＯＭＣサーバ７−３のＦＱＤＮ（Fully Qualified Domain Name）形式アドレスに対するＩＰアドレスを取得する。また、無線基地局装置（ｅＮＢ）７−１は、ＤＨＣＰ（Dynamic Host Configuration Protocol）サーバ７−５により、自装置に割り当てられるＩＰアドレスを取得する。
【０００３】
無線基地局装置を新たに設置する場合は、その無線基地局装置をＩＰネットワーク７−２内に組み込み、サービスを行わせるための立ち上げ作業（コミッショニング）を行う。コミッショニング作業は、通常、作業者が実際に設置される無線基地局装置に赴き、当該無線基地局装置にローカル端末を接続して、運用パラメータ等のデータを当該無線基地局装置に設定することにより行う。このとき設定されるデータの一つに基地局識別子がある。基地局識別子は、ネットワーク内で各無線基地局装置を一意に識別するための識別子である。
【０００４】
基地局識別子は、無線基地局装置の識別に使用され、無線基地局装置の管理運用上の重要なデータである。しかし、この基地局識別子も無線基地局装置における運用パラメータの一部であり、他の運用パラメータと同様、無線基地局装置のソフトウェアにより書き換え可能な不揮発記憶領域（例えばハードディスクやフラッシュメモリ等）に収容される。
【０００５】
図８に無線基地局装置の内部構成例の概略を示す。無線基地局装置（ｅＮＢ）は、ローカル保守ポート８−１、対ＯＭＣインタフェース部８−２、ＣＰＵ８−３、ソフトウェアによる書き込みアクセスの有る第１の不揮発記憶領域８−４、ソフトウェアによる書き込みアクセスの無い第２の不揮発記憶領域８−５、信号処理部８−６を備える。なお、図８において、運用パラメータの設定に係る構成例のみを示し、ベースバンド処理部やＣＰＲＩ（Common Public Radio Interface）のインタフェース部等は、図示を省略している。
【０００６】
ローカル保守ポート８−１は、コミッショニング用のローカル端末８−７と接続され、該ローカル保守ポート８−１を介して、立ち上げ作業や保守作業用のデータが、ローカル端末８−７とＣＰＵ８−３との間で送受される。
【０００７】
対ＯＭＣインタフェース部８−２は、ＩＰネットワーク等のネットワークを介してＯＭＣサーバと接続され、該対ＯＭＣインタフェース部８−２を介してＯＭＣサーバからの遠隔操作による保守・運用のデータが、ＣＰＵ８−３との間で送受される。対ＯＭＣインタフェース部８−２には、ＭＡＣアドレスが設定されている。
【０００８】
ＣＰＵ８−３は、無線基地局装置（ｅＮＢ）内の各機能部の制御及びデータ処理を実行する。ソフトウェアによる書き込みアクセスの有る第１の不揮発記憶領域８−４は、運用パラメータ及びオンラインソフトウェアの格納領域であり、運用パラメータとしては、当該無線基地局装置（ｅＮＢ）を識別するための基地局識別子（ｅＮＢ−ＩＤ）及び他のパラメータを収容する。
【０００９】
ソフトウェアによる書き込みアクセスの無い第２の不揮発記憶領域８−５は、ブートローダ、ＯＭＣサーバのアドレス等が格納される。このＯＭＣサーバのアドレスは、例えば、ｏｍｃ．ａｂｃ．ｎｅｔのようなＦＱＤＮ（Fully Qualified Domain Name）形式のアドレスである。
【００１０】
対ＯＭＣインタフェース部８−２に設定されたＭＡＣアドレスや、第２の不揮発記憶領域８−５に格納されたブートローダやＯＭＣサーバのアドレス等は、ソフトウェアによる書き込みアクセスが無いため、ソフトウェアの暴走等による内容破壊は発生しない。
【００１１】
移動体通信システムにおいて、アクセスポイントを識別するための識別子（ＩＤ）とアクセスポイントとの接続情報とを対応付けたリストを保持し、接続不具合のあるアクセスポイントを把握する技術等は、例えば下記の特許文献１等に記載されている。
【先行技術文献】
【特許文献】
【００１２】
【特許文献１】特開２００９−１６４８８２号公報
【発明の概要】
【発明が解決しようとする課題】
【００１３】
無線基地局装置において、ソフトウェアにより書き換え可能な第１の不揮発記憶領域８−４の収容データは、ソフトウェア障害により破壊される場合がある。該第１の不揮発記憶領域８−４に収容された運用パラメータのデータ破壊が発生すると、無線基地局装置として通信サービスの提供はできなくなる。
【００１４】
そのため、無線基地局装置内の運用パラメータが破壊すると、従来は、保守者が当該無線基地局装置へ赴き、ローカル端末８−７を用いて、再度、当該無線基地局装置に運用パラメータを設定し、破壊された運用パラメータを復旧させる作業を行っていた。但し、ＯＭＣサーバから当該無線基地局装置の基地局識別子（ｅＮＢ−ＩＤ）を取得することができれば、それを基に、ＯＭＣサーバから他の運用パラメータをダウンロードすることが可能である。
【００１５】
しかし、運用パラメータの破壊状況によっては、基地局識別子（ｅＮＢ−ＩＤ）そのものが破壊・紛失する場合がある。このような場合には、保守者が無線基地局装置に赴き、基地局識別子（ｅＮＢ−ＩＤ）を設定して復旧する作業を行うため、保守・運用コストの増大に繋がっていた。また、復旧手順に人手が係わるため、手順誤りなどによる誤設定が発生する可能性もあった。
【００１６】
本発明は、無線基地局装置で運用パラメータのデータ破壊や変更が発生した場合でも、遠隔の保守・運用を行うサーバから運用パラメータを再設定することを可能にする。
【課題を解決するための手段】
【００１７】
上記課題を解決する一つの形態としての無線アクセスネットワークシステムは、保守・運用を行うサーバとネットワークを介して接続される無線基地局装置を含む無線アクセスネットワークシステムにおいて、前記無線基地局装置は、自装置に割り当てられた基地局識別子と、前記ネットワークとのインタフェース部に予め割り当てられたアドレスとを対応付けて前記サーバへ通知する通知手段を備え、前記サーバは、前記通知手段から通知される基地局識別子とアドレスと該基地局識別子の無線基地局装置に対する運用パラメータとを、対応付けて格納する記憶手段と、前記アドレスに基づいて前記記憶手段から取得した該基地局識別子及び運用パラメータを、前記無線基地局装置に転送する転送手段と、を備えたものである。
【発明の効果】
【００１８】
無線基地局装置で運用パラメータのデータ破壊や変更が発生した場合でも、遠隔の保守・運用を行うサーバから適切な運用パラメータの設定を行うことができる。これにより、保守者が無線基地局装置の設置場所に赴いて、無線基地局装置に運用パラメータを設定する作業がなくなり、無線アクセスネットワークの保守コストを低減することが可能となる。
【図面の簡単な説明】
【００１９】
【図１】実施例１の基地局識別子／ＭＡＣアドレス登録シーケンス例を示す図である。
【図２】実施例１の運用パラメータ復旧シーケンス例を示す図である。
【図３】実施例２の無線基地局装置移設時の運用パラメータ更新シーケンス例を示す図である。
【図４】実施例１の運用パラメータ管理テーブルの構成例を示す図である。
【図５】実施例２の運用パラメータ管理テーブルの構成例を示す図である。
【図６】無線基地局装置−ＯＭＣサーバ間で送受されるメッセージの構造例を示す図である。
【図７】無線アクセスネットワークシステムの接続構成例を示す図である。
【図８】無線基地局装置の内部構成例を示す図である。
【発明を実施するための形態】
【００２０】
無線基地局装置と保守・運用を行うＯＭＣサーバとは、例えばイーサネット（登録商標）で接続され、保守・運用のデータを相互に送受する。従って、無線基地局装置は、自装置の対ＯＭＣインタフェース部８−２に設定されたイーサネット（登録商標）用のＭＡＣアドレスを有している。ＭＡＣアドレスは、全イーサネット（登録商標）機器間で一意の識別子である。
【００２１】
ＭＡＣアドレスは、運用パラメータとは異なり、ソフトウェアにより書き換え可能な第１の不揮発記憶領域８−４に収容されるデータではなく、イーサネット（登録商標）インタフェース機能を有するハードウェアに機器製造時に書き込み・保持され、当該ハードウェア障害が発生しない限りは失われることはない。
【００２２】
開示の運用パラメータ設定方法では、コミッショニング時に、無線基地局装置が自装置に与えられた基地局識別子と自装置のＭＡＣアドレスとを、保守・運用を行うサーバへ通知し、該サーバではその対応を記憶する。該サーバでは、基地局識別子に加えてＭＡＣアドレスも運用パラメータを一意に識別する識別子として用い、無線基地局装置から基地局識別子を受領することができない状況であっても、ＭＡＣアドレスにより、当該無線基地局装置にダウンロードすべき運用パラメータを決定するものである。以下、開示の運用パラメータ設定方法の実施例について説明する。
【００２３】
開示の運用パラメータ設定方法は、ＬＴＥ（Long-Term Evolution：３．９Ｇシステム）に限らず、３Ｇ  ＵＭＴＳ（Universal Mobile Telecommunication System）のような無線アクセスノードとそれらの保守運用を行う保守・運用システムとを含む移動体通信システムに適用可能である。しかし、以下の説明では説明の簡明化のため、無線基地局装置として、ＬＴＥシステムにおける無線基地局装置を指すｅＮＢという用語を使用するが、ＬＴＥシステムにおける無線基地局装置に限定されるものではない。
【実施例１】
【００２４】
第１の本実施例の説明において、コミッショニング時の基地局識別子（ｅＮＢ−ＩＤ）及びＭＡＣアドレスの登録シーケンスと、その後の基地局識別子（ｅＮＢ−ＩＤ）を含む運用パラメータの修復シーケンスとに分けて説明する。
【００２５】
［コミッショニング時の基地局識別子／ＭＡＣアドレス登録シーケンス］
図１を参照して以下にこの登録シーケンス［１］〜［７］について説明する。なお、各シーケンスの番号［１］〜［７］は、図中のシーケンスの番号と対応している。
【００２６】
［１］初期状態では、コミッショニング対象無線基地局装置（ｅＮＢ）７−１には、基地局識別子（ｅＮＢ−ＩＤ）の割当はなく、また、その他の運用パラメータについても設定されていない。
【００２７】
［２］コミッショニング手順の一つとして、ローカル端末８−７から当該無線基地局装置（ｅＮＢ）７−１に基地局識別子（ｅＮＢ−ＩＤ）としてＩＤ＿ａを設定する。該基地局識別子（ｅＮＢ−ＩＤ）をＩＤ＿ａに設定した後、ローカル端末８−７から当該無線基地局装置（ｅＮＢ）７−１に対して再開動作を実施させる。
【００２８】
［３］無線基地局装置（ｅＮＢ）７−１は、再開動作を開始し、まず、ネットワーク上のＤＨＣＰサーバ７−５にアクセスし、自装置のＩＰアドレスの割当を受ける。次に、無線基地局装置（ｅＮＢ）７−１は、ネットワーク上のＤＮＳサーバ７−４に、ＯＭＣサーバ７−３のＦＱＤＮ（Fully Qualified Domain Name）形式アドレスを通知してアドレス解決を行い、ＯＭＣサーバ７−３のＩＰアドレスを取得する。ＤＮＳサーバ７−４及びＤＨＣＰサーバ７−５の動作は、標準手順に従って行われる。
【００２９】
なお、ＦＱＤＮ形式のＯＭＣサーバ７−３アドレスは、ソフトウェアからの書き込みアクセスをすることができない第２の不揮発記憶領域８−５に記憶されるため、ＭＡＣアドレスと同様、ソフトウェア障害などにより失われることのないデータである。
【００３０】
［４］無線基地局装置（ｅＮＢ）７−１は、自装置のＭＡＣアドレス（ＭＡＣ＿ａ）と、上述のシーケンス［２］で割り当てられた基地局識別子（ｅＮＢ−ＩＤ）（ＩＤ＿ａ）とを基に、図６に示すメッセージＭＡＣＲＥＧＲＥＱを組み立て、ＯＭＣサーバ７−３へ送信する。
【００３１】
メッセージＭＡＣＲＥＧＲＥＱは、自装置に割り当てられた基地局識別子（ｅＮＢ−ＩＤ）とＭＡＣアドレスとを、ＯＭＣサーバ７−３に登録することを要求するメッセージである。
【００３２】
［５］無線基地局装置（ｅＮＢ）７−１からメッセージＭＡＣＲＥＧＲＥＱを受信したＯＭＣサーバ７−３は、運用パラメータ管理テーブルを、基地局識別子（ｅＮＢ−ＩＤ）（ＩＤ＿ａ）をインデックスとして検索し、基地局識別子（ｅＮＢ−ＩＤ）（ＩＤ＿ａ）に対応するＭＡＣアドレス（ＭＡＣ＿ａ）を登録する。
【００３３】
図４にＯＭＣサーバ７−３における運用パラメータ管理テーブルの登録の具体例を示す。運用パラメータ管理テーブルは、基地局識別子（ｅＮＢ−ＩＤ）とＭＡＣアドレス（ＭＡＣ ａｄｒｓ）と該基地局識別子の無線基地局装置に対する運用パラメータファイル名とを対応付けて登録する各フィールドを有する。
【００３４】
運用パラメータ管理テーブルには、最初、図４の（ａ）に示すように、ＭＡＣアドレスは登録されていない。しかし、上述のシーケンス［４］により、無線基地局装置（ｅＮＢ）７−１から、基地局識別子（ｅＮＢ−ＩＤ）とＭＡＣアドレスとの対応の通知を受領すると、図４の（ｂ）に示すように、基地局識別子（ｅＮＢ−ＩＤ）（ＩＤ＿ａ）に対応させて、ＭＡＣアドレス（ＭＡＣ＿ａ）を登録し、該テーブルを更新する。登録が完了した後、図６に示すメッセージＭＡＣＲＥＱＲＳＰにより応答する。
【００３５】
［６］引き続き、ＯＭＣサーバ７−３は、運用パラメータ管理テーブルから、基地局識別子（ｅＮＢ−ＩＤ）がＩＤ＿ａの無線基地局装置（ｅＮＢ）７−１に対応する運用パラメータファイル名Ｆｉｌｅ＿ａを取得する。なお、この無線基地局装置（ｅＮＢ）７−１は、ＭＡＣアドレスがＭＡＣ＿ａの無線基地局装置（ｅＮＢ）でもある。運用パラメータファイル名は、運用パラメータ管理テーブルに、予め各基地局識別子（ｅＮＢ−ＩＤ）対応に設定されている。
【００３６】
ＯＭＣサーバ７−３は、図４の（ｃ）に示す運用パラメータデータベースから、Ｆｉｌｅ＿ａの運用パラメータを取り出し、無線基地局装置（ｅＮＢ）７−１に対してｆｔｐ（file transfer protocol）セッションを確立し、該運用パラメータを無線基地局装置（ｅＮＢ）７−１へ転送する。
【００３７】
［７］無線基地局装置（ｅＮＢ）７−１は、上述のシーケンス［６］により、ＯＭＣサーバ７−３から受領した運用パラメータを自装置の第１の不揮発記憶領域８−４に収容し、自律動作により再開処理を実行する。再開後は、運用パラメータに従って、サービスを開始し運用状態となる。
【００３８】
なお、コミッショニング時と通常再開時との区別なく、無線基地局装置（ｅＮＢ）７−１は、再開手順中でメッセージＭＡＣＲＥＧＲＥＱをＯＭＣサーバ７−３へ送信する。その基地局識別子（ｅＮＢ−ＩＤ）とＭＡＣアドレスとの組が既に運用パラメータ管理テーブルに存在する場合、ＯＭＣサーバ７−３は、図６に示すメッセージＭＡＣＲＥＧＲＳＰのＯＰＥフィールドを“ＲＥＧＤ（＝ｒｅｇｉｓｔｅｒｅｄ：登録済み）”として応答し、その後の運用パラメータのｆｔｐ転送処理は行わない。
【００３９】
［運用パラメータ修復シーケンス］
図２を参照して以下にこの修復シーケンス［１１］〜［１７］を説明する。なお、各シーケンスの番号［１１］〜［１７］は、図中のシーケンスの番号と対応している。
［１１］運用中の無線基地局装置（ｅＮＢ）７−１で、サービス中に運用パラメータのデータ破壊が発生したとする。
【００４０】
［１２］運用パラメータの破壊を検出した無線基地局装置（ｅＮＢ）７−１は、自律動作により再開処理を開始する。なお、自律再開処理の前に、サービス中断の影響を最小限に抑えるための措置（例えば他の無線基地局装置（ｅＮＢ）への追い出し処理等）を実施する構成とすることもできる。
【００４１】
［１３］無線基地局装置（ｅＮＢ）７−１は、再開処理開始により、前述のシーケンス［３］と同様に、ＤＨＣＰ、ＤＮＳ手順を起動し、自装置のＩＰアドレスを取得し、ＯＭＣサーバ７−３のＩＰアドレスを取得する。
【００４２】
［１４］無線基地局装置（ｅＮＢ）７−１は、再開処理の一環で、基地局識別子（ｅＮＢ−ＩＤ）を含む運用パラメータを自装置の第１の不揮発記憶領域８−４から読み出そうとするが、上述のシーケンス［１１］によりデータ破壊が発生しているため、読み出しに失敗する。読み出し失敗を検出した無線基地局装置（ｅＮＢ）７−１は、ＯＭＣサーバ７−３に対して、自身のＭＡＣアドレス（ＭＡＣ＿ａ）をパラメータとする図６に示すメッセージＳＹＳＰＲＥＣＶＲＥＱを組み立てて送信する。このメッセージＳＹＳＰＲＥＣＶＲＥＱは、ＯＭＣサーバ７−３に自装置のＭＡＣアドレスを通知し、該ＭＡＣアドレスに対応する基地局識別子（ｅＮＢ−ＩＤ）の通知を要求するメッセージである。
【００４３】
［１５］メッセージＳＹＳＰＲＥＣＶＲＥＱを受信したＯＭＣサーバ７−３は、当該メッセージで通知されるＭＡＣアドレス（ＭＡＣ＿ａ）を用い、ＭＡＣアドレス（ＭＡＣ＿ａ）をインデックスとして、図４の（ｂ）の運用パラメータ管理テーブルを検索し、対応する基地局識別子（ｅＮＢ−ＩＤ）（ＩＤ＿ａ）を得る。
【００４４】
そして、ＯＭＣサーバ７−３は、図６に示すメッセージＳＹＳＰＲＥＣＶＲＳＰで無線基地局装置（ｅＮＢ）７−１へ応答し、基地局識別子（ｅＮＢ−ＩＤ）（ＩＤ＿ａ）を通知する。これにより、無線基地局装置（ｅＮＢ）７−１は、運用パラメータ破壊前に、自装置に割り当てられていた基地局識別子（ｅＮＢ−ＩＤ）（ＩＤ＿ａ）を得て、不揮発記憶領域の基地局識別子（ｅＮＢ−ＩＤ）を復旧する。
【００４５】
［１６］引き続き、ＯＭＣサーバ７−３は、図４（ｂ）の運用パラメータ管理テーブルにより、基地局識別子（ｅＮＢ−ＩＤ）がＩＤ＿ａ（当然ながら、ＭＡＣアドレス＝ＭＡＣ＿ａ）の無線基地局装置（ｅＮＢ）に対応する運用パラメータファイル名Ｆｉｌｅ＿ａを得る。そして、ＯＭＣサーバ７−３は、図４（ｃ）に示す運用パラメータデータベースからＦｉｌｅ＿ａのファイルを取り出し、無線基地局装置（ｅＮＢ）７−１に対してｆｔｐセッションを確立し、運用パラメータを転送する。
【００４６】
［１７］無線基地局装置（ｅＮＢ）７−１は、上述のシーケンス［１６］により、ＯＭＣサーバ７−３から受領した運用パラメータを、自装置の第１の不揮発記憶領域８−４に収容し、運用パラメータを復旧し、自律動作により再開処理を実施する。再開後は、運用パラメータに従って、通信サービスを開始し運用状態となる。
【実施例２】
【００４７】
第２の実施例として、既に設置されている無線基地局装置（ｅＮＢ）を、他の無線基地局として移設する実施例について説明する。この実施例では、元々、ＩＤ＿ｂの基地局識別子（ｅＮＢ−ＩＤ）が与えられて運用していた無線基地局装置（ＭＡＣアドレス＝ＭＡＣ＿ｂ）を移設し、ＩＤ＿ｘの基地局識別子（ｅＮＢ−ＩＤ）として運用する例として説明する。
【００４８】
なお、移設対象の無線基地局装置（ｅＮＢ）７−１は、第１の実施例の［コミッショニング時の基地局識別子／ＭＡＣアドレス登録シーケンス］により、コミッショニングが完了しているものとする。図３を参照して以下にこの実施例のシーケンス［２１］〜［２６］を説明する。なお、各シーケンスの番号［２１］〜［２６］は、図中のシーケンスの番号と対応している。
【００４９】
［２１］無線基地局装置（ｅＮＢ）７−１の移設作業を開始する。まず、運用中の無線基地局装置（ｅＮＢ）７−１を保守手順によりネットワークから切り離し、移設場所へと移動する。移設前の運用パラメータ管理テーブルの状態を図５の（ａ）に示している。
【００５０】
［２２］ＯＭＣサーバ７−３では、運用パラメータ管理テーブルを次のように更新する。なお、この実施例２では、運用パラメータ管理テーブルに、前述の各フィールドに加え、移設後の無線基地局装置（ｅＮＢ）に与える新たな基地局識別子を格納するフィールド（Ｎｅｗ  ｅＮＢ−ＩＤ）を有する。
【００５１】
ＯＭＣサーバ７−３は、まず、移設対象無線基地局装置（ｅＮＢ）に割り当てられている基地局識別子（ｅＮＢ−ＩＤ）（ＩＤ＿ｂ）に対応する新たな基地局識別子（ｅＮＢ−ＩＤ）のフィールド（Ｎｅｗ  ｅＮＢ−ＩＤ）に、移設後に割り当てるべき基地局識別子（ｅＮＢ−ＩＤ）（ＩＤ−ｘ）を設定する。更に、基地局識別子（ｅＮＢ−ＩＤ）（ＩＤ＿ｂ）に対応する運用パラメータファイル名を、移設後の基地局識別子（ｅＮＢ−ＩＤ）（ＩＤ−ｘ）に対応するＦｉｌｅ＿ｘに書き換える（図５の（ｂ）参照）。
【００５２】
［２３］上述の運用パラメータ管理テーブルの更新が完了した後、移設先で無線基地局装置（ｅＮＢ）７−１をネットワークへ接続し、再開処理を実施する。無線基地局装置（ｅＮＢ）７−１は、前述のシーケンス［３］と同様に、ＤＨＣＰ、ＤＮＳ手順を実行した後、前述のシーケンス［４］と同様に、図６に示すメッセージＭＡＣＲＥＧＲＥＱをＯＭＣサーバ７−３へ送信する。
【００５３】
［２４］ＯＭＣサーバ７−３は、受信したメッセージＭＡＣＲＥＧＲＥＣの自装置ＭＡＣアドレス（ＯＷＮ−ＭＡＣ）（ＭＡＣ＿ｂ）で、図５の（ｂ）の運用パラメータ管理テーブルを検索し、新たな基地局識別子（ｅＮＢ−ＩＤ）のフィールド（Ｎｅｗ  ｅＮＢ−ＩＤ）にＩＤ＿ｘが設定されていることから、当該無線基地局装置（ｅＮＢ）７−１について、基地局識別子（ｅＮＢ−ＩＤ）の更新処理を開始する。そして、図６に示すメッセージＭＡＣＲＥＧＲＳＰに、基地局識別子（ｅＮＢ−ＩＤ）の更新要求（ＯＰＥ＝ＵＰＤＲＥＱ）及び新たな基地局識別子（ｅＮＢ−ＩＤ）としてＩＤ＿ｘを設定して、無線基地局装置（ｅＮＢ）７−１に応答する。
【００５４】
同時にＯＭＣサーバ７−３は、当該無線基地局装置（ｅＮＢ）７−１のテーブルレコードについて、基地局識別子（ｅＮＢ−ＩＤ）を新たな基地局識別子（ｅＮＢ−ＩＤ）（ＩＤ＿ｘ）で更新し、また、新たな基地局識別子（ｅＮＢ−ＩＤ）のフィールド（Ｎｅｗ  ｅＮＢ−ＩＤ）の内容ＩＤ＿ｘを消去する（図５の（ｃ）参照）。一方、メッセージＭＡＣＲＥＧＲＳＰを受信した無線基地局装置（ｅＮＢ）７−１は、基地局識別子（ｅＮＢ−ＩＤ）の更新要求を認識し、同時に通知された新たな基地局識別子（ｅＮＢ−ＩＤ）（ＩＤ＿ｘ）を第１の不揮発記憶領域８−４に収容する。
【００５５】
［２５］引き続き、ＯＭＣサーバ７−３は、図５の（ｃ）の運用パラメータ管理テーブルにより、基地局識別子（ｅＮＢ−ＩＤ）（ＩＤ＿ｘ）（ＭＡＣアドレス＝ＭＡＣ＿ｂ）の無線基地局装置（ｅＮＢ）７−１に対応する運用パラメータファイル名Ｆｉｌｅ＿ｘを得、図５（ｄ）の運用パラメータデータベースからＦｉｌｅ＿ｘを得る。そして、ＯＭＣサーバ７−３は、無線基地局装置（ｅＮＢ）７−１に対してｆｔｐセッションを確立し、該運用パラメータを転送する。
【００５６】
［２６］無線基地局装置（ｅＮＢ）７−１は、上述のシーケンス［２５］により、ＯＭＣサーバ７−３から受領した運用パラメータを自装置の第１の不揮発記憶領域８−４に収容し、運用パラメータを復旧し、自律動作により再開する。再開後は、運用パラメータに従って、サービスを開始し運用状態となる。
【００５７】
以上、第１及び第２の実施例において、無線基地局装置で運用パラメータのデータ破壊や変更が発生した場合でも、遠隔の保守・運用を行うサーバから適切な運用パラメータの設定を行うことができる。これにより、保守者が無線基地局装置の現地に赴いて運用パラメータを設定する作業がなくなり、保守コストを低減することが可能となる。
【００５８】
また、コミッショニング時に無線基地局装置の設置場所で該基地局装置に設定する情報は、基地局識別子のみでよく、コミッショニング手順の簡素化による作業コストの低減、及びコミッショニング時の誤操作による運用パラメータの誤設定に起因するサービス中断を低減することができる。
【符号の説明】
【００５９】
７−１  無線基地局装置（ｅＮＢ）
７−２  ＩＰネットワーク
７−３  ＯＭＣサーバ
７−４  ＤＮＳサーバ
７−５  ＤＨＣＰサーバ
８−１  ローカル保守ポート
８−２  対ＯＭＣインタフェース部
８−３  ＣＰＵ
８−４  第１の不揮発記憶領域
８−５  第２の不揮発記憶領域
８−６  信号処理部
８−７  ローカル端末
【図１】
2011199540.tif 000003
【図２】
2011199540.tif 000004
【図３】
2011199540.tif 000005
【図４】
2011199540.tif 000006
【図５】
2011199540.tif 000007
【図６】
2011199540.tif 000008
【図７】
2011199540.tif 000009
【図８】
2011199540.tif 000010